(57)【要約】      （修正有）【課題】冷凍室の空間を有効利用可能な冷蔵庫を提供する。【解決手段】冷凍室内に着脱可能に配される筐体３１と、筐体３１の上部に水平な回転軸で回転可能に支持されるとともに上面を開口する複数の製氷ポケットを有した製氷皿５０と、筐体３１の下部に配される貯氷容器６０とを有した製氷ユニット３０を備え、筐体３１の周壁上に、貯氷容器６０を回転軸の軸方向（Ｘ方向）及び回転軸に直交する方向（Ｙ方向）にそれぞれ出し入れ可能な第１引出口及び第２引出口が開口する。【選択図】図３
2018096629.tif 000002
【特許請求の範囲】
【請求項１】
冷凍室内に着脱可能に配される筐体と、前記筐体の上部に水平な回転軸で回転可能に支持されるとともに上面を開口する複数の製氷ポケットを有した製氷皿と、前記筐体の下部に配される貯氷容器とを有した製氷ユニットを備え、前記筐体の周壁上に、前記貯氷容器を前記回転軸の軸方向及び前記回転軸に直交する方向にそれぞれ出し入れ可能な第１引出口及び第２引出口が開口することを特徴とする冷蔵庫。
【請求項２】
前記冷凍室を開閉する扉の背面に突設して前記筐体の前記軸方向の両側壁を支持する一対の支持部を備え、前記製氷ユニットが前記支持部の支持により前記第２引出口を前記冷凍室内に面して装着可能であることを特徴とする請求項１に記載の冷蔵庫。
【請求項３】
前記支持部により支持して前記製氷ユニットと択一的に取り付け可能なドアポケットを設けたことを特徴とする請求項２に記載の冷蔵庫。
【請求項４】
前記筐体の前記第１引出口と前記第２引出口との間のコーナーに立設される柱部と、前記筐体及び前記支持部の一方により形成される上下に延びた溝部と、前記筐体及び前記支持部の他方に設けられて前記溝部に嵌合する突起部とを備え、前記突起部を前記溝部に挿入して上方から前記製氷ユニットが装着されることを特徴とする請求項２または請求項３に記載の冷蔵庫。
【請求項５】
前記第１引出口に連続して前記筐体の底壁上に形成される切欠き部と、前記貯氷容器の前記第１引出口に面した側壁の下端部に形成される第１傾斜面とを備え、一方の前記支持部が前記切欠き部を介して前記貯氷容器の前記第１引出口に面した側壁に当接し、前記軸方向において前記貯氷容器の外面が前記柱部の内面と同じ位置または内側に配されることを特徴とする請求項４に記載の冷蔵庫。
【請求項６】
前記筐体の前記第２引出口の対向壁及び底壁に跨がって開口する開口部と、前記扉に設けられるとともに前記開口部を介して前記貯氷容器に当接する当接部と、前記対向壁に面した前記貯氷容器の側壁の下端部及び前記当接部の上端部の少なくとも一方に形成される第２傾斜面とを備え、前記当接部に当接する前記貯氷容器の前記第２引出口側の外面が前記柱部よりも前記冷凍室側に配されることを特徴とする請求項４または請求項５に記載の冷蔵庫。
【請求項７】
前記筐体に下端を枢支して前記第１引出口を開閉する蓋部を備えたことを特徴とする請求項１〜請求項５のいずれかに記載の冷蔵庫。
【請求項８】
前記貯氷容器が、上面を開口して一側壁に挿通口を設けた第１容器部と、上面を開口して前記第１容器部に内嵌されるとともに前記挿通口を介してスライド可能な第２容器部とを有することを特徴とする請求項１〜請求項７のいずれかに記載の冷蔵庫。
【発明の詳細な説明】
【技術分野】
【０００１】
本発明は、製氷ユニットを備える冷蔵庫に関する。
【背景技術】
【０００２】
従来の冷蔵庫は特許文献１に開示される。この冷蔵庫は、冷凍室内に製氷コーナーと貯氷コーナーとが設けられている。製氷コーナー内には製氷皿が配され、製氷皿は上面を開口する複数の製氷ポケットを有する。貯氷コーナーには貯氷容器が配され、製氷皿で製氷された氷が貯留される。貯留された氷は貯氷容器を前方に引出して取出すことができる。
【先行技術文献】
【特許文献】
【０００３】
【特許文献１】特開平０８−０９４２２９号公報
【発明の概要】
【発明が解決しようとする課題】
【０００４】
上記特許文献１に開示された冷蔵庫によると、製氷皿及び貯氷容器は冷凍室内に予め設けられた空間内に設置される。このため、冷凍室の貯蔵物の配置が製氷コーナー及び貯氷コーナーにより制約され、冷凍室の空間を有効利用できない場合がある。従って、冷蔵庫の利便性が悪い問題があった。
【０００５】
本発明は、利便性を向上できる冷蔵庫を提供することを目的とする。
【課題を解決するための手段】
【０００６】
上記目的を達成するために本発明の冷蔵庫は、冷凍室内に着脱可能に配される筐体と、前記筐体の上部に水平な回転軸で回転可能に支持されるとともに上面を開口する複数の製氷ポケットを有した製氷皿と、前記筐体の下部に配される貯氷容器とを有した製氷ユニットを備え、前記筐体の周壁上に、前記貯氷容器を前記回転軸の軸方向及び前記回転軸に直交する方向にそれぞれ出し入れ可能な第１引出口及び第２引出口が開口することを特徴としている。
【０００７】
また、本発明は上記構成の冷蔵庫において、前記冷凍室を開閉する扉の背面に突設して前記筐体の前記軸方向の両側壁を支持する一対の支持部を備え、前記製氷ユニットが前記支持部の支持により前記第２引出口を前記冷凍室内に面して装着可能であることを特徴としている。
【０００８】
また、本発明は上記構成の冷蔵庫において、前記支持部により支持して前記製氷ユニットと択一的に取り付け可能なドアポケットを設けたことを特徴としている。
【０００９】
また、本発明は上記構成の冷蔵庫において、前記筐体の前記第１引出口と前記第２引出口との間のコーナーに立設される柱部と、前記筐体及び前記支持部の一方により形成される上下に延びた溝部と、前記筐体及び前記支持部の他方に設けられて前記溝部に嵌合する突起部とを備え、前記突起部を前記溝部に挿入して上方から前記製氷ユニットが装着されることを特徴としている。
【００１０】
また、本発明は上記構成の冷蔵庫において、前記第１引出口に連続して前記筐体の底壁上に形成される切欠き部と、前記貯氷容器の前記第１引出口に面した側壁の下端部に形成される第１傾斜面とを備え、一方の前記支持部が前記切欠き部を介して前記貯氷容器の前記第１引出口に面した側壁に当接し、前記軸方向において前記貯氷容器の外面が前記柱部の内面と同じ位置または内側に配されることを特徴としている。
【００１１】
また、本発明は上記構成の冷蔵庫において、前記筐体の前記第２引出口の対向壁及び底壁に跨がって開口する開口部と、前記扉に設けられるとともに前記開口部を介して前記貯氷容器に当接する当接部と、前記対向壁に面した前記貯氷容器の側壁の下端部及び前記当接部の上端部の少なくとも一方に形成される第２傾斜面とを備え、前記当接部に当接する前記貯氷容器の前記第２引出口側の外面が前記柱部よりも前記冷凍室側に配されることを特徴としている。
【００１２】
また、本発明は上記構成の冷蔵庫において、前記筐体に下端を枢支して前記第１引出口を開閉する蓋部を備えたことを特徴としている。
【００１３】
また、本発明は上記構成の冷蔵庫において、前記貯氷容器が、上面を開口して一側壁に挿通口を設けた第１容器部と、上面を開口して前記第１容器部に内嵌されるとともに前記挿通口を介してスライド可能な第２容器部とを有することを特徴としている。
【発明の効果】
【００１４】
本発明によると、冷凍室内に着脱可能に配される筐体の周壁上に貯氷容器を製氷皿の回転軸の軸方向及び回転軸に直交する方向にそれぞれ出し入れ可能な第１引出口及び第２引出口が開口する。これにより、貯氷容器を直交する２方向から引き出すことができ、冷凍室に設置される筐体の設置位置及び設置方向を変更して冷凍室の空間を有効利用することができる。従って、冷蔵庫の利便性を向上することができる。
【図面の簡単な説明】
【００１５】
【図１】本発明の第１実施形態に係る冷蔵庫を示す正面図。
【図２】本発明の第１実施形態に係る冷蔵庫を示す側面断面図。
【図３】本発明の第１実施形態に係る製氷ユニットの斜視図。
【図４】本発明の第１実施形態に係る製氷ユニットの製氷皿の上面図。
【図５】本発明の第１実施形態に係る製氷ユニットの貯氷容器の斜視図。
【図６】本発明の第１実施形態に係る製氷ユニットの筐体の斜視図。
【図７】本発明の第１実施形態に係る製氷ユニットの貯氷容器の引出し動作を示す斜視図。
【図８】本発明の第１実施形態に係る製氷ユニットの貯氷容器の引出し動作を示す斜視図。
【図９】本発明の第１実施形態に係る製氷ユニットの貯氷容器の引出し動作を示す斜視図。
【図１０】本発明の第１実施形態に係る製氷ユニットの貯氷容器の引出し動作を示す斜視図。
【図１１】本発明の第２実施形態に係る製氷ユニットを冷凍室扉に取り付けた状態を示す斜視図。
【図１２】本発明の第２実施形態に係る製氷ユニットを冷凍室扉に取り付けた状態を示す正面図。
【図１３】本発明の第２実施形態に係る製氷ユニットの貯氷容器の斜視図。
【図１４】本発明の第２実施形態に係る製氷ユニットの取り付動作を示す斜視図。
【図１５】本発明の第２実施形態に係る製氷ユニットの取り付動作を示す正面断面図。
【図１６】本発明の第２実施形態に係る製氷ユニットの取り付動作を示す正面断面図。
【図１７】本発明の第３実施形態に係る製氷ユニットの斜視図。
【図１８】本発明の第４実施形態に係る貯氷容器の斜視図。
【図１９】本発明の第４実施形態に係る製氷ユニットの取り付動作を背面側から示す斜視図。
【図２０】本発明の第４実施形態に係る製氷ユニットの斜視図。
【図２１】本発明の第５実施形態に係る貯氷容器の斜視図。
【発明を実施するための形態】
【００１６】
以下に図面を参照して本発明の実施形態を説明する。図１は第１実施形態に係る冷蔵庫１を示す正面図である。図２は第１実施形態に係る冷蔵庫１を示す側面断面図である。
【００１７】
冷蔵庫１は前面が開口する断熱箱体１０を備える。断熱箱体１０の外面は外箱１１により形成され、内面は内箱９により形成される。外箱１１は鉄板等の金属板から成り、前面が開口した箱型に形成されている。内箱９は樹脂成形品から成り、前面を開口した複数の貯蔵室が区分けして形成されている。外箱１１と内箱９との間には発泡ウレタン等の発泡断熱材が充填されている。
【００１８】
断熱箱体１０の上部には冷凍室３が配され、冷凍室３の下方には冷蔵室４が配される。冷凍室３の前面は冷凍室扉１３により開閉され、冷蔵室４の前面は冷蔵室扉１４により開閉される。冷凍室扉１３、冷蔵室扉１４の背面にはドアポケット１３ａ、１４ａが設けられている。また、冷凍室３には製氷した氷を貯留する製氷ユニット３０が配されている。
【００１９】
冷蔵室４の後方には圧縮機７が設けられている。圧縮機７には冷却器８、凝縮器（不図示）、膨張器（不図示）が接続され、イソブタン等の冷媒を循環させて冷凍サイクルを形成している。
【００２０】
また、冷凍室３及び冷蔵室４の後部には冷気通路６が設けられ、冷凍室３の背面側の冷気通路６に冷却器８が配される。冷凍サイクルの低温側である冷却器８と熱交換した空気は冷気通路６を介して冷凍室３及び冷蔵室４に送られる。
【００２１】
図３は製氷ユニット３０の斜視図を示している。製氷ユニット３０は給水部４１及び製氷部４２を備えている。給水部４１は製氷部４２の筐体３１上に載置され、給水タンク４０が収納されている。筐体３１の上部には製氷皿５０が配され、筐体３１の下部には貯氷容器６０が収納されている。
【００２２】
給水タンク４０は着脱可能に設けられ、水を充填した給水タンク４０が給水部４１に設置されると給水タンク４０から製氷皿５０に給水される。これにより、製氷ユニット３０を取り外して製氷皿５０に給水する必要がなく、利便性を向上することができる。
【００２３】
図４は製氷皿５０の上面図を示している。製氷皿５０はシリコンを含有したポリプロピレン等により形成され、可撓性を有する。製氷皿５０は上面を開口した複数の製氷ポケット５４が形成される。
【００２４】
また、製氷皿５０の周囲には枠状の枠部５５が配されている。製氷皿５０の長手方向の両端には軸部５２ａ、５２ｂが突設され、軸部５２ａ、５２ｂは枠部５５に軸支されている。これにより、製氷皿５０が軸部５２ａ、５２ｂにより形成される回転軸Ａで回転可能に配される。
【００２５】
また、軸部５２ｂは枠部５５の外方に延びてレバー５１に連結され、レバー５１は筐体３１の外方に配される（図３参照）。枠部５５の内周側には係止部５３が設けられている。軸部５２ａ又は軸部５２ｂと枠部５５との間にはバネが設けられており、製氷皿５０の側端部５６の下面が係止部５３に当接するように付勢されている。これにより、製氷皿５０が水平に保持される。
【００２６】
ユーザーがレバー５１を把持してバネの付勢方向とは反対方向に製氷皿５０を回転させると製氷ポケット５４の上面が下方に面した位置で製氷皿５０の側端部５６の上面が係止部５３に当接する。更にレバー５１を回転することによって製氷皿５０が捻られる。これにより、製氷ポケット５４から氷が離氷して落下し、貯氷容器６０に貯留される。また、ユーザーがレバー５１を離すと、製氷ポケット５４の上面が上方に面する位置に製氷皿５０が回転して係止部５３に当接する。これにより、製氷皿５０が再び水平に保持される。
【００２７】
図５は貯氷容器６０の斜視図を示している。貯氷容器６０は矩形状の底面上に側壁６１、６２、６３、６４が起立して上方が開放された箱状に形成されている。側壁６２と側壁６３とのコーナーの上面には凸部６５ａが突設され、側壁６２と側壁６４とのコーナーの上面には凸部６５ｂが突設されている。側壁６１及び側壁６３の中央部下部には取手部６１ａ、６３ａが夫々設けられている。
【００２８】
取手部６１ａ、６３ａは側壁６１、６３の底部を貯氷容器６０の内側に凹んで形成されている。取手部６１ａ、６３ａに下方から手指を挿入して貯氷容器６０を前後方向に出し入れすることができる。
【００２９】
図６は筐体３１の斜視図を示している。筐体３１に製氷皿５０を装着したときに回転軸Ａの軸方向をＸ１−Ｘ２方向とし、軸方向に直交する方向をＹ１−Ｙ２方向とする。筐体３１は直方体状の箱体であり、上方に給水部４１が載置される（図３参照）。
【００３０】
筐体３１は上部に製氷室３８を有し、下部に貯氷室３９を有する。製氷室３８と貯氷室３９の間には開口部７０ａを開口した仕切壁７０が設けられる。製氷室３８に配される製氷皿５０（図４参照）から離氷された氷は開口部７０ａを介して貯氷室３９に配された貯氷容器６０（図５参照）内に落下する。
【００３１】
製氷室３８は仕切壁７０上に立設する周壁３８ａに囲まれており、製氷皿５０は軸方向を筐体３１の長手方向に配して製氷室３８内に取り付けられる。一周壁３８ａの上部に設けた凹部３８ｂを介してレバー５１（図４参照）が筐体３１の外部に突出して配される。レバー５１の操作により製氷皿５０を製氷室３８内で回転させることができる。
【００３２】
貯氷室３９は底壁３２から立設する周壁３９ａにより囲まれており、隣接する２面には引出口（第１引出口）３５と引出口（第２引出口）３６とが開口している。引出口３５、３６との間のコーナーには柱部３７が底壁３２から立設している。
【００３３】
底壁３２には引出口３５に連続して切欠き部３２ａが形成され、引出口３６に連続して切欠き部３２ｂが形成されている。切欠き部３２ａ、３２ｂを設けることにより、取手部６１ａ、６３ａへ手指を下方からより挿入し易くなる。
【００３４】
仕切壁７０には上方に凹状に形成された第１案内溝７１と第２案内溝７２ａ、７２ｂとが設けられている。第１案内溝７１は軸方向（Ｘ１−Ｘ２方向）に延び、第２案内溝７２ａ、７２ｂは軸方向（Ｘ１−Ｘ２方向）に直交する方向（Ｙ１−Ｙ２方向）に延びる。
【００３５】
第１案内溝７１の一端は引出口３５に連続して筐体３１の周壁上に開口している。第２案内溝７２ａ、７２ｂは第１案内溝７１に連続しており、貯氷容器６０の凸部６５ａ、６５ｂ（図５参照）と同じ間隔で平行に形成される。また、第２案内溝７２ａは柱部３７の内面より内側（Ｘ２方向）に配されている。
【００３６】
また、第２案内溝７２ａ、７２ｂは筐体３１の引出口３６が形成される周壁上に開放されていない。このため、貯氷容器６０は貯氷室３９からＸ１方向に引き抜くことはできるが、Ｙ１方向に引き抜くことはできない。
【００３７】
図７〜図１０は貯氷容器６０の引出し動作を示す斜視図である。図７、図８に示すように、貯氷容器６０は引出口３５から挿入される。このとき、第１案内溝７１に凸部６５ｂが案内され、貯氷容器６０を円滑に直進させることができる。
【００３８】
製氷ユニット３０の引出口３５が冷凍室３の正面に向けて設置された場合、貯氷容器６０から氷を取出す際にＸ１方向に貯氷容器６０が引き出される。このとき、凸部６５ａ、６５ｂが第１案内溝７１に案内されて貯氷容器６０がＸ１方向に円滑にスライド移動する。
【００３９】
一方、製氷ユニット３０の引出口３６が冷凍室３の正面と対向して設置された場合、貯氷容器６０はＹ１方向に引き出される。
【００４０】
このため、図９に示すように、引出口３５からＸ２方向に挿入される貯氷容器６０は側壁（外面）６３を柱部３７の内面よりも内側（Ｘ２方向）に配される。これにより、凸部６５ａ、６５ｂが第２案内溝７２ａ、７２ｂに嵌合し、図１０に示すように、Ｙ１方向に貯氷容器６０を引き出すことができる。このとき、凸部６５ａ、６５ｂが第２案内溝７２ａ、７２ｂに夫々案内されて貯氷容器６０がＹ１方向に円滑にスライド移動する。
【００４１】
なお、Ｘ２方向に挿入される貯氷容器６０の側壁（外面）６３を柱部３７の内面と同じ位置に配したときに凸部６５ａ、６５ｂを第２案内溝７２ａ、７２ｂに嵌合してもよい。
【００４２】
本実施形態によると、冷凍室３内に着脱可能に配される筐体３１の周壁上に、貯氷容器６０を回転軸の軸方向（Ｘ１−Ｘ２方向）及び回転軸に直交する方向（Ｙ１−Ｙ２方向）にそれぞれ出し入れ可能な引出口（第１引出口）３５及び引出口（第２引出口）３６が開口する。これにより、製氷ユニット３０を冷凍室３内に自由に移動させることができるとともに製氷ユニット３０の向きを変えて引出口３５又は引出口３６を冷凍室３の正面に向けて設置することができる。これにより、冷凍室３に設置される筐体３１の設置位置及び設置方向を変更して冷凍室３の空間を有効利用することができる。従って、冷蔵庫１の利便性を向上することができる。
【００４３】
＜第２実施形態＞
図１１、図１２は第２実施形態に係る冷蔵庫１の冷凍室扉１３を示す斜視図及び正面図である。説明の便宜上、前述の図１〜図１０に示す第１実施形態と同様の部分には同一符号を付して説明を省略する。本実施形態は冷凍室扉１３に製氷ユニット３０を取り付け可能になっている。その他の部分は第１実施形態と同様である。
【００４４】
冷凍室扉１３の背面の周部には環状の突出壁１３ｂが後方に突出して設けられる。左右の突出壁１３ｂの中央には支持リブ８０ａが立設される。左右の一方（背面側から見て左方）の突出壁１３ｂ及び支持リブ８０ａの支持によりドアポケット１３ａを冷凍室扉１３の背面に取り付けることができる。
【００４５】
また、ドアポケット１３ａを取り外すと、突出壁１３ｂ及び支持リブ８０ａの支持により引出口３６を冷凍室３内に面して製氷ユニット３０を冷凍室扉１３の背面に取り付けることができる。従って、左右の突出壁１３ｂ及び支持リブ８０ａは製氷ユニット３０を支持する支持部を構成する。
【００４６】
図１３は貯氷容器６０の斜視図を示している。貯氷容器６０は側壁６３の下端部に傾斜面（第１傾斜面）６３ｂが形成されている。傾斜面６３ｂは切欠き部３２ａに面しており、下方に向かって側壁６３から離れる方向（Ｘ２方向）に傾斜している。
【００４７】
図１４は製氷部４２及び支持リブ８０ａの斜視図を示している。支持リブ８０ａは板状に形成されており、奥側（Ｙ２方向）の上端部に段差部８１が設けられている。これにより、段差部８１と冷凍室扉１３の背面との間に上下方向に延びる溝部８１ａが形成される。また、左右の一方の突出壁１３ｂ上にもＬ字状に突設した同様の段差部８１が設けられ、段差部８１によって上下方向に延びる溝部８１ａが形成される。
【００４８】
製氷部４２の筐体３１のＸ１−Ｘ２方向の両端面には溝部８１ａに嵌合するＬ字状の突起部３１ａが設けられている。突起部３１ａを溝部８１ａに上方から挿入し、突起部３１ａが段差部８１の上端または下端の水平面上に当接して製氷ユニット３０が冷凍室扉１３の背面に固定される。
【００４９】
また、ドアポケット１３ａ（図２参照）の両側壁には同様の突起部３１ａが設けられる。これにより、製氷ユニット３０とドアポケット１３ａとを冷凍室扉１３の背面に択一的に装着することができる。
【００５０】
また、支持リブ８０ａには引出口３６に面して当接部８２が突出して設けられる。当接部８２は上端部に傾斜面８２ａが形成され、傾斜面８２ａの下方に鉛直な当接面８２ｂが形成される。傾斜面８２ａは下方に向うに従って支持リブ８０ａから離れる方向（Ｘ２方向）に傾斜する。
【００５１】
製氷ユニット３０が上方から装着されると、支持リブ８０ａの当接部８２は切欠き部３２ａ（図１４参照）を介して貯氷室３９内に進入する。このため、図１５に示すように、貯氷容器６０が柱部３７の内面よりもＸ１方向に突出する際に、降下する貯氷容器６０の傾斜面６３ｂが当接部８２の傾斜面８２ａに摺動する。これにより、貯氷容器６０がＸ２方向に押圧される。
【００５２】
そして、図１６に示すように、支持リブ８０ａの当接面８２ｂが貯氷容器６０の側壁６３に当接し、貯氷容器６０の側壁（外面）６３が柱部３７の内面よりも内側（Ｘ２方向）に配される。
【００５３】
これにより、凸部６５ａ、６５ｂが第２案内溝７２ａ、７２ｂに嵌合し、図１０に示すように、Ｙ１方向に貯氷容器６０を引き出すことができる。従って、製氷ユニット３０を冷凍室扉１３の背面に装着後、貯氷容器６０はＹ１方向に引き出し可能な位置に配置されて利便性が向上する。
【００５４】
本実施形態によると、冷凍室３を開閉する冷凍室扉１３の背面に突設して筐体３１の軸方向（Ｘ１―Ｘ２方向）の側壁６３、６４を支持する一対の支持部（支持リブ８０ａ及び突出壁１３ｂ）を備える。これにより、製氷ユニット３０を冷凍室３内に設置できるとともに、冷凍室扉１３に設置することができる。従って、冷蔵庫１の利便性を向上することができる。
【００５５】
また、ドアポケット１３ａと製氷ユニット３０とが支持部の支持により択一的に取り付け可能であるので、冷凍室３の空間をより有効利用することができる。
【００５６】
また、突出壁１３ｂ及び支持リブ８０ａにより上下に延びる一対の溝部８１ａが形成され、筐体３１に設けた突起部３１ａが溝部８１ａに嵌合して上方から製氷ユニット３０が装着される。これにより、製氷ユニット３０を冷凍室扉１３に容易に着脱することができ、利便性が向上する。なお、支持リブ８０ａ及び突出壁１３ｂに突起部３１ａを設け、筐体３１及びドアポケット１３ａに溝部８１ａを設けてもよい。
【００５７】
また、貯氷容器６０及び支持リブ８０ａに傾斜面６３ｂ、８２ａが設けられ、製氷ユニット３０が上方から挿入されると支持リブ８０ａが切欠き部３２ａを介して側壁６３に当接する。これにより、貯氷容器６０の外面が柱部３７の内面の内側（Ｘ２方向）に配される。
【００５８】
このため、製氷ユニット３０を冷凍室扉１３に装着した際に傾斜面６３ｂ、８２ａによって貯氷容器６０がＹ１方向に引き出し可能な位置に配置される。従って、冷蔵庫１の利便性をより向上することができる。なお、支持リブ８０ａの傾斜面８２ａを省いてもよいが、傾斜面８２ａを設けることによって製氷ユニット３０を円滑に装着することができる。また、支持リブ８０ａの当接面８２ｂが貯氷容器６０の側壁６３に当接した際に、貯氷容器６０の外面が柱部３７の内面とＸ２方向の同じ位置に配されてもよい。
【００５９】
本実施形態において、冷凍室３内に一対の支持部を設けて製氷ユニット３０を固定してもよい。このとき、貯蔵物に応じて製氷ユニット３０を冷凍室扉１３に装着することができる。
【００６０】
＜第３実施形態＞
図１７は第３実施形態に係る冷蔵庫１の製氷ユニット３０の斜視図である。説明の便宜上、前述の図１１〜図１６に示す第２実施形態と同様の部分には同一符号を付して説明を省略する。本実施形態は製氷ユニット３０の筐体３１に蓋部９０が設けられている。また、支持リブ８０ａの当接部８２（図１４参照）及び貯氷容器６０の傾斜面６３ｂ（図１４参照）が省かれている。その他の部分は第２実施形態と同様である。
【００６１】
蓋部９０は筐体３１の下端に枢支して引出口（第１引出口）３５を開閉する。また、蓋部９０の引出口３５に対向する面からリブ９１が突設している。これにより、蓋部９０を閉じた時にリブ９１が貯氷容器６０の側壁６３を押圧して貯氷容器６０の側壁（外面）６３が柱部３７の内面よりも内側（Ｘ２方向）に配される。また、蓋部９０を閉じた時、蓋部９０の外面が引出口３５と面一になる。これにより、製氷ユニット３０の美観を向上することができる。
【００６２】
また、製氷ユニット３０を冷凍室扉１３の背面に装着する際に、蓋部９０が支持リブ８０ａに当接することで蓋部９０が自動的に閉じる。このため、蓋部９０を閉じた状態で製氷ユニット３０を冷凍室扉１３の背面に装着した際に、貯氷容器６０はＹ１方向に引き出し可能な位置に配置される。従って、冷蔵庫１の利便性をより向上することができる。
【００６３】
＜第４実施形態＞
図１８、図１９は第４実施形態に係る冷蔵庫１の貯氷容器６０の斜視図及び製氷部４２の斜視図を示している。説明の便宜上、前述の図１１〜図１４に示す第２実施形態と同様の部分には同一符号を付して説明を省略する。本実施形態は貯氷容器６０の側壁６２の下端部に傾斜面６２ａが形成されている。また、支持リブ８０ａの当接部８２（図１４参照）及び貯氷容器６０の傾斜面６３ｂ（図１４参照）が省かれている。その他の部分は第２実施形態と同様である。
【００６４】
傾斜面６２ａは貯氷容器６０の側壁６２の下端部の外面上に形成され、下方に向かって引出口３６に近づく方向に傾斜する。
【００６５】
製氷ユニット３０の筐体３１には引出口３６に対向する周壁（対向壁）３９ａ及び底壁３２に跨がって開口部３２ｃが開口する。これにより、貯氷室３９に収納された貯氷容器６０の傾斜面６２ａが開口部３２ｃから露出する。
【００６６】
冷凍室扉１３の背面には当接部９２が設けられる。当接部９２の上端部は下方に向かって冷凍室扉１３から離れる方向に傾斜する傾斜面９２ａが形成されている。当接部９２の下端部には鉛直な当接面９２ｂが形成されている。
【００６７】
貯氷容器６０の側壁６３を柱部３７の内面より内側（Ｘ２方向）に配した状態（図１５参照）で製氷ユニット３０を上方から挿入すると、傾斜面９２ａと傾斜面６２ａとが摺動する。これにより、貯氷容器６０がＹ１方向に押圧される。
【００６８】
そして、当接面９２ｂが側壁６２に当接すると、図２０に示すように、貯氷容器６０の側壁６１が引出口３５よりも冷凍室３側に配されて引出口３６と略面一になる。これにより、凸部６５ａ、６５ｂが第１案内溝７１に嵌合しなくなり、貯氷容器６０がＸ１−Ｘ２方向に移動できなくなる。したがって、冷凍室扉１３の背面に装着される製氷ユニット３０の貯氷容器６０を引出口３６からＹ１方向に引き出す際に、凸部６５ａ、６５ｂが第１案内溝７１に引っ掛かることなく、容易に引き出すことができる。また、製氷ユニット３０の美観を向上することができる。
【００６９】
なお、本実施形態では側壁６２の下端部及び当接部９２に傾斜面６２ａ、傾斜面９２ａ（いずれも第２傾斜面）を形成したが一方のみに設けてもよい。また、当接部９２の下端部に鉛直な当接面９２ｂが形成されていなくてもよい。
【００７０】
また、本実施形態において第２実施形態と同様に支持リブ８０ａの当接部８２（図１４参照）及び貯氷容器６０の傾斜面６３ｂ（図１４参照）を設けてもよい。このとき、製氷ユニット３０を上方から挿入して当接部８２の当接面８２ｂが側壁６３に当接した後に傾斜面６２ａ、９２ａが摺動するように当接部８２、９２が配置される。
【００７１】
＜第５実施形態＞
図２１は第５実施形態に係る冷蔵庫１の貯氷容器６０の斜視図である。説明の便宜上、第１実施形態と同様の部分には同一符号を付して説明を省略する。本実施形態は貯氷容器６０が第１容器部６７と第２容器部６８とを有する。その他の部分は第１実施形態と同様である。
【００７２】
第１容器部６７は上面を開口して引出口３５に面する一側壁６７ａに挿通口６７ｂを有する。また、第２容器部６８は上面を開口して第１容器部６７に内嵌されるとともに挿通口６７ｂを介してＸ１−Ｘ２方向にスライド移動することができる。第２容器部６８内に氷が貯氷される。
【００７３】
貯氷容器６０は引出口３６から挿入され、引出口３６に対向する周壁３９ａに当接した際に引出口３６と面一になる。このため、挿通口６７ｂの形成面が柱部３７に面して配され、引出口３６から引き出すことができる。このとき、挿通口６７ｂは引出口３５に対向し、製氷ユニット３０を冷凍室３内に設置した際に挿通口６７ｂ及び引出口３５を介して第２容器部６８を引き出すことができる。
【００７４】
本実施形態では、貯氷容器６０の第１容器部６７の一側壁６７ａが常に柱部３７に面しており、また、第２容器部６８は第１容器部６７をスライド移動するため、第１実施形態と同様の凸部６５ａ、６５ｂ（図５参照）や第１案内溝７１、第２案内溝７２ａ、７２ｂ（図６参照）が不要となる。なお、凸部６５ａ、６５ｂを第１容器部６７に設けてもよい。このとき、筐体３１上に一端を周壁３９ａ上に開放された第２案内溝７２ａ（図６参照）を設けることにより、貯氷容器６０を円滑に出し入れすることができる。
【００７５】
本実施形態において、挿通口６７ｂを引出口３６に面する第１容器部６７の側壁に設けてもよい。このとき、第２実施形態と同様に当接部８２（図１４参照）及び傾斜面６３ｂ（図１４参照）を設けてもよい。また、第３実施形態と同様に傾斜面６２ａ及び当接部９２を設けてもよい。
【産業上の利用可能性】
【００７６】
本発明によると、製氷ユニットを備えた冷蔵庫に利用することができる。
【符号の説明】
【００７７】
１                冷蔵庫
３                冷凍室
４                冷蔵室
６                冷気通路
７                圧縮機
８                冷却器
９                内箱
１０              断熱箱体
１１              外箱
１３              冷凍室扉
１３ａ、１４ａ    ドアポケット
１３ｂ            突出壁
１４              冷蔵室扉
３０              製氷ユニット
３１              筐体
３１ａ            突起部
３２              底壁
３２ａ、３２ｂ    切欠き部
３２ｃ            開口部
３５              引出口（第１引出口）
３６              引出口（第２引出口）
３７              柱部
３８              製氷室
３８ａ            周壁
３８ｂ            凹部
３９ａ            周壁
３９              貯氷室
４０              給水タンク
４１              給水部
４２              製氷部
５０              製氷皿
５１              レバー
５２ａ、５２ｂ    軸部
５３              係止部
５４              製氷ポケット
５５              枠部
５６              側端部
６０              貯氷容器
６１〜６４        側壁
６１ａ、６３ａ    取手部
６３ｂ            傾斜面（第１傾斜面）
６５ａ、６５ｂ    凸部
６７              第１容器部
６７ａ            側壁
６７ｂ            挿通口
６８              第２容器部
７０              仕切壁
７０ａ            開口部
７１              第１案内溝
７２ａ、７２ｂ    第２案内溝
８０ａ            支持部
８１              段差部
８１ａ            溝部
８２              当接部
８２ａ            傾斜面
８２ｂ            当接面
９０              蓋部
９１              リブ
９２              当接部
９２ａ            傾斜面
９２ｂ            当接面
Ａ                回転軸
【図１】
2018096629.tif 000003
【図２】
2018096629.tif 000004
【図３】
2018096629.tif 000005
【図４】
2018096629.tif 000006
【図５】
2018096629.tif 000007
【図６】
2018096629.tif 000008
【図７】
2018096629.tif 000009
【図８】
2018096629.tif 000010
【図９】
2018096629.tif 000011
【図１０】
2018096629.tif 000012
【図１１】
2018096629.tif 000013
【図１２】
2018096629.tif 000014
【図１３】
2018096629.tif 000015
【図１４】
2018096629.tif 000016
【図１５】
2018096629.tif 000017
【図１６】
2018096629.tif 000018
【図１７】
2018096629.tif 000019
【図１８】
2018096629.tif 000020
【図１９】
2018096629.tif 000021
【図２０】
2018096629.tif 000022
【図２１】
2018096629.tif 000023